(57)【要約】【課題】位置特定装置を搭載した撮像装置と位置特定装置を搭載した撮像対象とを容易に結び付けることができるようにする。【解決手段】位置情報を作成して出力する位置特定装置を搭載した撮像装置と、入力操作手段と表示手段とを備えた端末機器と、前記撮像装置に搭載された位置特定装置から出力される位置情報を位置データとし管理する位置情報管理装置と、前記位置情報管理装置からの情報と、前記撮像装置の画像情報を集中制御する管理サーバとを有し、前記管理サーバは、前記位置特定装置を搭載した撮像対象の位置情報と、前記撮像装置の位置情報とから撮像装置を特定する特定手段を備え、前記特定手段により特定された撮像装置が撮像した画像情報を前記端末機器に送信する。【選択図】図１
2014143477.tif 000002
【特許請求の範囲】
【請求項１】
位置情報を作成して出力する位置特定装置を搭載した撮像装置と、
入力操作手段と表示手段とを備えた端末機器と、
前記撮像装置に搭載された位置特定装置から出力される位置情報を位置データとし管理する位置情報管理装置と、
前記位置情報管理装置からの情報と、前記撮像装置の画像情報を集中制御する管理サーバとを有し、
前記管理サーバは、
前記位置特定装置を搭載した撮像対象の位置情報と、前記撮像装置の位置情報とから撮像装置を特定する特定手段を備え、
前記特定手段により特定された撮像装置が撮像した画像情報を前記端末機器に送信することを特徴とする撮像システム。
【請求項２】
前記特定手段は、
前記撮像対象の最短の位置にある撮像装置を特定することを特徴とする請求項１に記載の撮像システム。
【請求項３】
位置情報を作成して出力する位置特定装置を搭載した撮像装置と、
入力操作手段と表示手段とを備えた端末機器と、
前記撮像装置に搭載された位置特定装置から出力される位置情報を位置データとし管理する位置情報管理装置と、
前記位置情報管理装置からの情報と、前記撮像装置の画像情報を集中制御する管理サーバとを有し、
前記管理サーバは、
前記位置特定装置から撮像対象を撮像する撮像装置を選定する選定手段を備えることを特徴とする撮像システム。
【請求項４】
前記選定手段は、
前記位置特定装置による位置情報と、撮像装置の撮像範囲を算出して撮像装置を選定することを特徴とする請求項３に記載の撮像システム。
【請求項５】
前記選定手段は、前記撮像装置に搭載されているセンサの情報を基に作成されて送信される撮像方位情報を受信して前記撮像装置を選定することを特徴とする請求項３に記載の撮像システム。
【請求項６】
位置情報を作成して出力する位置特定装置を搭載した撮像装置と、
入力操作手段と表示手段とを備えた端末機器と、
前記撮像装置に搭載された位置特定装置から出力される位置情報を位置データとし管理する位置情報管理装置と、
前記位置情報管理装置からの情報と、前記撮像装置の画像情報を集中制御する管理サーバとを有し、
前記管理サーバは、
前記位置特定装置の情報と、前記端末機器からの情報とを利用して撮像対象を検索する検索手段を備えることを特徴とする撮像システム。
【請求項７】
前記検索手段は、
前記端末機器によって指定された情報と、前記管理サーバに集約される情報とを比較して前記撮像対象を検索することを特徴とする請求項６に記載の撮像システム。
【請求項８】
前記検索手段は、
前記端末機器により指定される位置特定装置に接続される機器固有の番号によって検知項目を変更することを特徴とする請求項６に記載の撮像システム。
【発明の詳細な説明】
【技術分野】
【０００１】
本発明は撮像システムに関し、特に、位置特定装置が搭載されている対象物を、近くに位置する位置特定装置が搭載されている監視カメラによって撮影するために用いて好適な技術に関するものである。
【背景技術】
【０００２】
近年、ショッピングモールやアミューズメント施設、テーマパーク等の大型施設の発展が著しく各地に展開されている。これらの施設には、多くの顧客数を見込み大型の駐車スペースの確保が必須となっていたり、広大な敷地面積や多種多様な店舗の設置が必須となっていたりする。それに伴い、自分の居場所や車などの駐車位置、子供の迷子など様々な問題が発生する。
【０００３】
一方、インターネットやイントラネットの普及、高速化によってネットワークを利用した動画像や音声の配信が行われていて、その技術を利用して撮影した映像や情報を蓄積サーバに保存して管理を行う監視カメラシステムがある。
【０００４】
監視カメラシステムでは、撮像装置で撮影した映像をネットワークに転送してＰＣ（Personal Computer）や端末機器などに送ることによって、映像データを受信したＰＣはモニタ等の表示装置を用いてその映像を確認することができる。これにより、遠く離れた場所に設置した撮像装置をユーザが遠隔操作をすることが可能である。
【０００５】
また、GPS(Global Positioning System)という全地球測位システムを用いて装置の位置が現在地球上のどこにいるのかを把握する技術が知られている。GPS機能は、カーナビゲーションシステムや携帯電話などで用いられており、地図情報等と組み合わせたサービスが拡がっている。
【０００６】
これらの社会情勢の中、GPS機能を搭載した装置を用いて、GPS非搭載の位置情報を取得する。そして、取得した位置情報と、予め登録されデータベース化された撮像装置の位置情報とを比較してGPS非搭載の状況を取得する位置検索システムが知られている（特許文献１参照）。
また、撮像対象にGPS発信器を搭載して位置情報を取得し、予め登録された撮像装置の位置情報から撮像対象の状況を取得する管理システムが知られている（特許文献２参照）。
【０００７】
これらの技術では、GPS機能を用いて撮像対象の状況を把握するためのシステムが組まれており、撮像画像によって撮像対象の状況を把握できる。
【先行技術文献】
【特許文献】
【０００８】
【特許文献１】特開２００６−９４０７９号公報
【特許文献２】特開２０１１−２２３９０９号公報
【発明の概要】
【発明が解決しようとする課題】
【０００９】
しかしながら、前述の特許文献１に開示された従来技術では、データベースより、撮像装置の位置情報を格納してデータベースを基に撮像装置を検索していくシステムであるが、カメラが移動された場合には再度データベースの変更が必要である。
【００１０】
また、前述の特許文献２に開示された従来技術では、撮像装置が撮像対象を撮影できる指定の位置に撮像装置を設置する必要があり、設置場所に制限が発生してしまう問題点があった。
本発明は前述の問題点に鑑み、位置特定装置を搭載した撮像装置と位置特定装置を搭載した撮像対象とを容易に結び付けることができるようにすることを目的とする。
【課題を解決するための手段】
【００１１】
本発明の撮像システムは、位置情報を作成して出力する位置特定装置を搭載した撮像装置と、入力操作手段と表示手段とを備えた端末機器と、前記撮像装置に搭載された位置特定装置から出力される位置情報を位置データとし管理する位置情報管理装置と、前記位置情報管理装置からの情報と、前記撮像装置の画像情報を集中制御する管理サーバとを有し、前記管理サーバは、前記位置特定装置を搭載した撮像対象の位置情報と、前記撮像装置の位置情報とから撮像装置を特定する特定手段を備え、前記特定手段により特定された撮像装置が撮像した画像情報を前記端末機器に送信することを特徴とする。
【発明の効果】
【００１２】
本発明によれば、位置特定装置の情報により撮像対象の位置情報を把握でき、撮像対象と撮像装置との結び付けを簡易に設定することができる。
【図面の簡単な説明】
【００１３】
【図１】本発明の実施形態を示し、位置特定装置を用いた撮像システムの構成例を示した図である。
【図２】実施形態の撮像システムの構成例を説明するブロック図である。
【図３】第１の実施形態の位置情報管理装置の内部の位置情報保持部で保持されるデータと、管理サーバ内の管理データ保持部に保持されるデータを示した図である。
【図４】第１の実施形態の撮像システムの動作概要を説明するフローチャートである。
【図５】第１の実施形態の大型駐車場で撮像システムを設置した場合の撮像対象を選定する様子を示した図である。
【図６】第２の実施形態を示し、管理サーバに集約される撮像範囲決定データを示す図である。
【図７】第２の実施形態を示し、大型駐車場でシステムを設置した場合の撮像対象を選定する様子を示した図である。
【図８】第２の実施形態のシステムの動作概要を説明するフローチャートである。
【図９】第２の実施形態の端末機器から管理サーバに対して指示を行うデータの一例を示した図である。
【図１０】第３の実施形態のシステムの動作概要を説明するフローチャートである。
【発明を実施するための形態】
【００１４】
以下、本発明を実施するための最良の形態について、添付図面を参照して説明を行う。
<第１の実施形態>
まず、本発明の第１の実施形態について説明する。
図１は、本発明の第１の実施形態を示し、位置情報を作成して出力する位置特定装置を用いた撮像システムの構成例を示した図である。
【００１５】
撮像システム１００は、位置特定衛星１０１、位置特定装置１０２Ａ、１０２Ｂ、位置情報管理装置１０３、電気通信回線であるネットワーク１０４、管理サーバ１０５、端末機器１０６によって構成されている。位置情報管理装置１０３は、撮像対象１０７、撮像装置１０８に搭載されている。
【００１６】
なお、位置特定装置１０２Ａ、１０２Ｂは機能を同じものとして使用しているため、位置特定装置１０２として記載することもある。位置特定装置１０２、撮像対象１０７、撮像装置１０８、端末機器１０６等は複数の構成を想定したものであるが、ここでは、基本構造を位置特定衛星１０１、撮像対象１０７、撮像装置１０８、端末機器１０６等で示している。
【００１７】
位置特定衛星１０１は、GPS(Global Positioning System)の様に位置情報を取得する際に利用する信号を送信する。図１には１つのみを示しているが、撮像システム１００においては複数の位置特定衛星が信号を発信している。この位置特定衛星１０１は、GPSに限ったものではなく、順天頂衛星や位置情報信号を送信する基地局などの位置情報を含んだ信号を発信することが出来る手段を用いても構わない。
位置特定装置１０２は、位置特定衛星１０１から発信された信号を受信して位置特定装置１０２が地球上のどの場所に存在しているのかを特定する位置情報を作成する装置である。
【００１８】
位置特定装置１０２は、撮像対象１０７や撮像装置１０８などに搭載することによって搭載された物体の位置を特定することができる。
位置情報管理装置１０３は、位置特定装置１０２で作成された位置情報を集結し、管理を行う装置である。ここで、位置情報管理装置１０３は、位置特定装置１０２や管理サーバ１０５に、電話通信網や無線通信網を利用して情報の伝送を行う。また、ネットワーク１０４を介してやり取りする場合もある。
【００１９】
端末機器１０６は、位置特定装置１０２を搭載した撮像対象である外部機器１０７や、撮像装置である外部機器１０８の位置情報を管理サーバ１０５に対して要求するための入力操作手段や、表示手段を備えた機器である。
【００２０】
管理サーバ１０５は、位置情報管理装置１０３で集結された情報を基に各位置特定装置１０２の位置関係を判定する手段と、端末機器１０６からの要求を処理する手段とを具備している。そして、位置情報管理装置１０３と端末機器１０６をネットワーク１０４を介して繋がっていて、画像情報を集中制御する。
【００２１】
次に、図２を用いて、図１の各構成部の詳細な説明を行う。ここで、図２の各構成は図１に対応しており、位置特定装置１０２Ａ、１０２Ｂ、位置情報管理装置１０３、管理サーバ１０５、端末機器１０６、外部機器１０７、１０８は図１で記したものと同等である。
位置特定装置１０２Ａ,１０２Ｂ（位置特定装置１０２）は、信号受信部２０１、信号処理部２０２、外部機器接続部２０３、信号送信部２０４によって構成されている。
【００２２】
位置特定装置１０２において、信号受信部２０１は図１で説明した位置特定衛星１０１から発信されている位置情報をアンテナ２０５によって受信する。このアンテナ２０５は位置特定装置１０２に内蔵されていてもよい。
【００２３】
本実施形態においては外部機器１０７、１０８として、それぞれ、撮像対象として車、監視カメラを想定している。しかし、この外部機器には例えば、カーナビゲーションシステムやパーソナルコンピュータ、携帯電話などに代表される位置特定装置を搭載する機器を想定することができる。外部機器１０７、１０８は位置特定装置１０２へ接続され使用される。また、外部機器１０８は後述する管理サーバ１０５へネットワーク１０４を通して画像データ等を送付する。
【００２４】
外部機器接続部２０３Ａ、２０３Ｂは、外部機器１０７、１０８の機器情報を信号処理部２０２Ａ、２０２Ｂへ伝送する。
信号受信部２０１Ａ、２０１Ｂで受信した信号と、外部機器接続部２０３Ａ、２０３Ｂからの信号は、信号処理部２０２Ａ、２０２Ｂに伝送される。この信号処理部２０２Ａ、２０２Ｂは受信した信号の処理と外部機器の接続情報や機器情報などの信号を処理する。また、位置情報管理装置１０３が受信できるように、決められたデータとして送信できるようなデータの変調処理などを行う。
信号処理部２０２Ａ、２０２Ｂによって処理された信号は、信号送信部２０４Ａ、２０４Ｂへ伝送される。この信号送信部２０４Ａ、２０４Ｂは、位置情報管理装置１０３へデータを送信する。
【００２５】
位置情報管理装置１０３は信号受信部２０８、信号処理部２０９、位置情報保持部２１０、信号送信部２１１によって構成されている。
信号受信部２０８は、位置特定装置１０２から伝送されてくる信号を受信する。信号受信部２０８で受信した信号は、信号処理部２０９によって処理される。信号処理部２０９は、受信した信号の中から位置特定装置の位置情報と時刻情報、また、位置特定装置が設置されている機器の情報を抽出する。
【００２６】
位置情報保持部２１０は、信号処理部２０９によって抽出された情報を格納しておく。この情報は、図３（ａ）に示されるような位置データ、時刻データ、設置機器データとして格納する。なお、位置データに関しては、座標データ（x,y,z）として格納されている。このｘは緯度、ｙは経度、ｚは標高を意味している。設置機器データは、例えば機器に対応した番号としてカーナビゲーション機器：００１、携帯電話：００２の様に機器コードとしてデータ化してもよい。
信号送信部２１１は、位置情報保持部２１０に格納されているデータを次に説明する管理サーバ１０５に送る。
【００２７】
管理サーバ１０５は、信号受信部２１３、信号処理部２１４、距離判定部２１５、管理データ保持部２１６、信号送信部２１７、要求判定部２１８によって構成されている。
信号受信部２１３は、位置情報管理装置１０３より送信されてきた信号や端末機器１０６からの情報等を受信して信号処理部２１４に伝送する。
信号処理部２１４では、受信した信号から距離判定部２１５、要求判定部２１８でデータの処理を行えるよう受信信号に処理を加える。また、距離判定部２１５、要求判定部２１８のどちらに信号を送るのかや管理データ保持部２１６とのデータの送受信処理などを行う。さらに、これらの信号をまとめて信号送信部へ伝送する処理も行う。
【００２８】
距離判定部２１５は、位置情報管理装置１０３から送られてきた情報に対して信号処理部２１４で処理された情報から撮像対象の位置情報と撮像装置の位置情報を割り出し、距離関係を算出する。算出された情報は、信号処理部２１４にて管理データ保持部２１６、または、信号送信部２１７へ伝送される。
【００２９】
要求判定部２１８に関しては、信号受信部２１３から信号処理部２１４へ伝送されてきた要求を判定する。要求の判定は、例えば撮像対象Ａの位置を知りたいといった指示情報があった場合に、ユーザは端末機器１０６から位置特定装置固有の機器コードを送付する。コードを受けた要求判定部２１８は複数の撮像対象情報の中から撮像対象Ａにあった機器コードを特定する処理を行う。
【００３０】
管理データ保持部２１６は、位置特定装置の位置データ、外部機器の位置データ、外部機器からの映像データ、端末機器１０６からのアクセスデータなどの情報を保持している。具体的には、図３（ｂ）に示すデータを保持する。撮像対象、撮像装置の位置データに関しては、各機器に搭載されている位置特定装置からの情報を位置情報管理装置１０３で集約されたものを保持している。また、撮像装置からの映像データとしては、撮像装置から送られてくる映像データを保持している。さらに、端末機器１０６からのアクセスデータをログ形式で保持しておき、指示要求などの履歴などを保持しておく。
【００３１】
端末機器１０６は、信号送信部２２０、映像表示部２２１、信号処理部２２２、指示作成部２２３、信号受信部２２４によって構成されている。
指示作成部２２３は、ユーザが知りたい撮像対象の情報を作成する。例えば、ユーザが自分の車を探したい場合には、カーナビゲーションシステムなどの機器コードを端末機器１０６によって作成する。端末機器１０６の操作画面に機器固有の機器コードを記述させるようなホームページや管理サイトを利用してネットワーク経由で指示してもよい。
【００３２】
信号処理部２２２は、ユーザによって作成された指示情報を解析して管理サーバ１０５が受信できる信号へと変換を行い信号送信部２２０へ伝送する。また、管理サーバ１０５からのデータは信号受信部２２４によって受信される。受信された信号は、信号処理部２２２にて処理され、信号送信部２２０によって端末機器１０６内に搭載されている映像表示部２２１へ伝送される。信号処理部２２２では、この伝送先の指定処理なども行っている。
以上、位置特定装置を用いた撮像システムは前述の様な構成となっている。
【００３３】
次に、図４のフローチャートを用いて、本発明の第１の実施形態における撮像システムの動作概要を説明する。図４の各ステップの処理は、各々の装置に設けられているコンピュータシステムを構成するＲＯＭに記憶されたプログラムをワークメモリとして機能するＲＡＭに展開してＣＰＵが実行することで実現する。
まず、位置特定衛星１０１からの信号を、撮像対象に搭載されている位置特定装置１０２によって受信する（Ｓ４０１）。撮像対象の位置情報を位置特定装置１０２によって位置情報管理装置１０３に送信する（Ｓ４０２）。
【００３４】
一方、位置特定衛星１０１からの信号を撮像装置１０８に搭載されている位置特定装置１０２が受信する（Ｓ４０３）。撮像装置１０８の位置情報を位置特定装置１０２によって位置情報管理装置１０３に送信する（Ｓ４０４）。
撮像対象１０７と撮像装置１０８の位置情報を位置情報管理装置１０３の位置情報保持部２１０に保存する（Ｓ４０５）。
【００３５】
ユーザは、端末機器１０６によって撮像対象１０７の位置情報を要求する（Ｓ４０６）。
端末機器１０６からの要求は管理サーバ１０５へと伝送され、要求を受けた管理サーバ１０５は、位置情報管理装置１０３からの情報を保持している管理データ保持部２１６から、撮像対象と撮像装置位置情報を取得する（Ｓ４０７）。
【００３６】
管理サーバ１０５にて撮像対象と撮像装置１０８の距離を算出し、撮像対象と撮像装置との距離情報の有無を判定する（Ｓ４０８）。距離の算出は、管理サーバ１０５中の管理データ保持部２１６に集められたデータより行っていく。撮像装置１０８の機器に依存することがない様に、使用する情報としては、図３に記載の位置データ、時刻データ、設置装置データとする。
【００３７】
Ｓ４０８より算出された情報より、撮像対象に対して最短の位置に設置された撮像装置を特定し、特定した撮像装置１０８の映像を端末機器１０６に送付する（Ｓ４０９）。
Ｓ４０８より算出されなかった場合（距離情報が得られなかった場合）は、端末機器１０６に対して、“対象無し”の通知を行う（Ｓ４１０）。
【００３８】
図５は、具体的に大型駐車場で撮像システムを設置し、撮像対象を選定する様子を示した図である。
駐車場内５００には多くの車が駐車されている。撮像対象５０１には、位置特定装置５０２Ｓが搭載されたカーナビゲーション装置が搭載されていると想定している。
まず、撮像対象５０１に搭載された位置特定装置５０２Ｓが位置特定衛星１０１からの信号を受信して、位置情報管理装置１０３に送信する。次に、撮像装置５０３Ａ、５０３Ｂ、５０３Ｃに搭載された位置特定装置５０２Ａ、５０２Ｂ、５０２Ｃが位置特定衛星１０１からの信号を受信して、撮像装置の位置情報を位置情報管理装置１０３に送信する。
ここで、ユーザは端末機器１０６から撮像対象５０１の位置特定装置固有のコード情報を指定する。
【００３９】
コード情報を受けた管理サーバは、管理データ保持部２１６より指定されたコードを検索して、対応する撮像対象を認識する。認識された撮像対象５０１の位置情報より、周辺に存在する撮像装置（ここでは５０３Ａ、５０３Ｂ、５０３Ｃ）との距離を比較して最も近い位置に存在する撮像装置を選定する。選定された撮像装置は、指示に従い撮像画像または撮像映像などの映像情報を管理サーバへ向けて送付する処理を行う。
以上の処理を行うことによって本実施形態では、撮像対象の位置と撮像装置の位置を特定して、撮像対象と撮像装置を容易に結び付けが行うことができる。
【００４０】
<第２の実施形態>
次に、本発明の第２の実施形態について説明する。
第２の実施形態における撮像システムの構成については、第１の実施形態における図１に示すものと同様であるため、説明は省略する。前述した第１の実施形態では、撮像装置の情報として使用していたのは撮像装置の位置情報であった。これに対し第２の実施形態では撮像装置の撮影方向や画角情報、撮影範囲情報などを利用して撮像対象を撮影する。
【００４１】
撮像装置設置時に撮影範囲をサーバに送る。例えば、撮像装置を設置した場合に撮像装置が北側を向いている場合、設置者が外部機器を用いて管理サーバ１０５に対して情報を転送する。
管理サーバは、方向情報を受けて位置情報管理装置１０３からの撮像装置の位置情報とを併せて撮像装置の撮影範囲を選定する。同様に、撮像装置の画角情報等も同時に送付することによって撮像装置が撮影可能な範囲をより詳細に把握することができる。
この様にして管理サーバは、撮像対象が撮影することができる撮像装置を算出して要求があった撮像対象を最適に取得できる撮像装置を割り当てることができる。
【００４２】
次に、図６、図７を用いて実際に撮像装置を選定する選定手段を説明する。
図６に実際に管理サーバ１０５に集約される撮像範囲決定パラメータを示す。図７では、前述した図５の駐車場を前提にして図６の設定値を図示し各撮像装置の撮像範囲を示したものである。７００は駐車場を示しており、７０１、７０２、７０３は各撮像装置５０３Ａ、５０３Ｂ、５０３Ｃの撮像範囲を表している。同時に、図６の撮像装置５０３Ａ、撮像装置５０３Ｂ、撮像装置５０３Ｃと対応している。
【００４３】
前述の例では、設置時に撮像範囲情報を設置者が送信することを記載したが、撮像装置自らが焦点距離、画角、方位、ズーム率などを出力し、管理サーバ１０５に情報を送信してもよい。管理サーバ１０５ではこれらの情報を基に、または端末機器１０６からの設定を基に撮像装置決定のための優先度を付ける。ここで、どのパラメータを優先的に考えるのかを決定する。例えば、撮像対象が小さくしか映っていなくてもよいので全体が映っていて欲しいという場合、図６の撮像装置５０３Ｂを選択する。
【００４４】
特に、撮像方位に関しては、撮像装置５０３に磁気センサや加速度センサを搭載しておき、これらセンサの情報を基に撮像方位情報を作成し、管理サーバ１０５に撮像方位情報を送信されるようにしてもよい。このように構成すると、撮像装置の位置情報と併せて情報を管理することによって、撮像対象を撮像するのに適した撮像装置を選定できる。
【００４５】
本発明の第２の実施形態におけるシステムの動作概要を、図８のフローチャートを用いて説明する。図８の各ステップの処理は、各々の装置に設けられているコンピュータシステムを構成するＲＯＭに記憶されたプログラムをワークメモリとして機能するＲＡＭに展開してＣＰＵが実行することで実現する。
まず、位置特定衛星１０１からの信号を撮像対象に搭載されている位置特定装置５０２によって受信する（Ｓ８０１）。
撮像対象の位置情報を位置特定装置５０２によって位置情報管理装置１０３に送信する（Ｓ８０２）。
【００４６】
一方、位置特定衛星１０１からの信号を撮像装置５０３に搭載されている位置特定装置５０２が受信する（Ｓ８０３）。
撮像装置５０３の位置情報を位置特定装置５０２によって位置情報管理装置１０３に送信する（Ｓ８０４）。
【００４７】
撮像対象と撮像装置５０３の位置情報を位置情報管理装置１０３の位置情報保持部２１０に保存する（Ｓ８０５）。
撮像装置設置時の撮影装置の撮影方向、撮像装置の画角などの撮像範囲決定情報を管理サーバ１０５に送信する（Ｓ８０６）。
管理サーバ１０５はＳ８０６で取得した情報を管理データ保持部２１６に保存する（Ｓ８０７）。
端末機器１０６によって、撮像対象の位置情報を要求する（Ｓ８０８）。
【００４８】
端末機器１０６からの要求は管理サーバ１０５へと伝送され、要求を受けた管理サーバ１０５は、位置情報管理装置１０３からの情報を保持している管理データ保持部２１６から撮像対象と撮像装置位置情報を取得する（Ｓ８０９）。
【００４９】
要求のあった撮像対象の位置情報から、撮像対象周辺の撮像装置５０３を検索して検索された撮像装置５０３の撮像範囲情報を計算し、周辺の撮像装置の有無を判定する（Ｓ８１０）。
撮像装置５０３が撮像対象の周辺に有った場合、端末機器１０６から要求のあった撮像対象が最適に撮影できる撮像装置５０３を選定する（Ｓ８１１）。
撮像装置５０３が撮像対象の周辺に無い場合、位置情報から撮像装置検索範囲を拡大して検索を行う。そして、要求のあった撮像対象の位置情報から、撮像対象周辺の撮像装置５０３を検索して検索された撮像装置５０３の撮像範囲情報を計算し、周辺の撮像装置の有無を判定する（Ｓ８１２）。
【００５０】
撮像装置５０３が撮像対象の周辺に有った場合、端末機器１０６から要求のあった撮像対象が最適に撮影できる撮像装置５０３を選定する（Ｓ８１３）。
撮像装置５０３が撮像対象の周辺に無い場合、対象無しであることを端末機器１０６に通知する（Ｓ８１４）。
以上の処理を行うことによって本実施形態では、撮像範囲を考慮して、撮像対象が最適に撮影できる撮像装置を選定することが可能である。
【００５１】
<第３の実施形態>
次に、本発明の第３の実施形態について説明する。
第３の実施形態における撮像システムの構成については、第１の実施形態における図１に示すものと同様であるため、説明は省略する。
前述した第１の実施形態では、撮像対象を撮像するために端末機器１０６から指示する情報は、機器固有の機器コードであった。これに対し、第３の実施形態では撮像対象の特徴を管理サーバ１０５に送信することによって撮像機器が撮像対象を検索する処理を行う。
【００５２】
図９は、端末機器１０６から管理サーバ１０５に対して指示を行うデータを示した図である。
撮像対象の位置情報より周辺の撮像装置が検出される。ここで、管理サーバ１０５に対して、図９の様な撮像対象の特徴データを送付することによって、周辺の撮像装置は撮像対象の検索処理を行う。この図９を、以下より項目テーブルとする。この項目テーブルは各機器コードに対応しており、コードによって項目変更を行うことができる。
【００５３】
まず、ユーザにより端末機器１０６が操作されて撮像対象の機器コードが指定されると、管理サーバ１０５は機器コードを判定して、機器コードに対応した項目テーブルを返信する。項目テーブルに応じて端末機器１０６から撮像対象のナンバー情報、車種情報、カラー情報、画像情報を指示画面より指定して管理サーバ１０５へ送付する。
【００５４】
管理サーバ１０５は、位置特定装置５０２から送られてくる位置情報によって周辺の撮像装置を検索する。検索した撮像装置に対して、項目テーブルのデータを送付する。データを受けた撮像装置は、項目テーブルと一致した撮像対象があるかどうか検索する。この検索は、項目テーブルの画像データと比較を行ったり、ナンバー検知をしたりして、映像から各項目に合致したものがあるか比較して行う。
【００５５】
なお、今回は駐車場を想定して撮像対象を車としているが、これは車に限ったものではなく、機器コードによって項目を変更する処理を管理サーバ１０５が行う。例えば、撮像対象が携帯端末であった場合には、携帯端末をもっている撮像対象は人間ということがわかるため項目が性別、髪型、服装などに変更されて返信される。
【００５６】
次に、本発明の第３の実施形態におけるシステムの動作概要を図１０のフローチャートを用いて説明する。図１０の各ステップの処理は、各々の装置に設けられているコンピュータシステムを構成するＲＯＭに記憶されたプログラムをワークメモリとして機能するＲＡＭに展開してＣＰＵが実行することで実現する。
まず、位置特定衛星１０１からの信号を撮像対象に搭載されている位置特定装置５０２によって受信する（Ｓ１００１）。
撮像対象の位置情報を位置特定装置５０２によって位置情報管理装置１０３に送信する（Ｓ１００２）。
【００５７】
一方、位置特定衛星１０１からの信号を撮像装置に搭載されている位置特定装置５０２が受信する（Ｓ１００３）。撮像装置の位置情報を位置特定装置５０２によって位置情報管理装置１０３に送信する（Ｓ１００４）。
撮像対象と撮像装置の位置情報を位置情報管理装置１０３の位置情報保持部２１０に保存する（Ｓ１００５）。
【００５８】
端末機器１０６によって撮像対象の機器コードを管理サーバ１０５に対して送信する（Ｓ１００６）。
管理サーバ１０５はＳ１００６で取得した情報をもとに、機器コードに応じた項目テーブルを端末機器１０６に送信する（Ｓ１００７）。
端末機器１０６は、Ｓ１００７で送られてきた項目テーブルに撮像対象の特徴データを記載して管理サーバ１０５に返信する（Ｓ１００８）。
【００５９】
管理サーバ１０５は、Ｓ１００８で作成された項目データをもとに一致する撮像対象を検索するよう周辺の撮像装置に要求し、撮像対象の有無を判定する（Ｓ１００９）。
対象が有った場合、撮像対象の映像データを端末機器１０６に送付する（Ｓ１０１０）。
対象が無い場合、端末機器１０６に対して、“対象無し”の通知を行う（Ｓ１０１１）。
以上の処理を行うことで、撮像対象をより正確に検出することができる。また、位置特定装置５０２に外部接続されている機器コードによって検知項目を変えることによってユーザの指示手段が簡易化される利点が得られる。
【００６０】
以上、本発明の実施形態を図面に基づいて詳述してきたが、本発明はこれらの特定の実施形態に限られるものではなく、この発明の要旨を逸脱しない範囲の様々な形態も本発明に含まれる。
例えば、前述の実施形態の一部を適宜組み合わせてもよい。また、前述した実施形態では、撮像装置としてネットワークカメラを例に取り上げて説明しているが、本発明では、監視カメラなどのネットワークカメラに限定するものではない。撮像装置として携帯端末やネットワークにつないで映像の配信が可能な一般のビデオカメラ等を用いることも可能である。
【００６１】
（その他の実施形態）
また、本発明は、以下の処理を実行することによっても実現される。即ち、前述した実施形態の機能を実現するソフトウェア（コンピュータプログラム）を、ネットワークまたは各種のコンピュータ読み取り可能な記憶媒体を介してシステム或いは装置に供給する。そして、そのシステム或いは装置のコンピュータ（または、ＣＰＵやＭＰＵ等）がプログラムを読み出して実行する処理である。
【符号の説明】
【００６２】
１００  撮像システム
１０１  位置特定衛星
１０２  位置特定装置
１０３  位置情報管理装置
１０４  ネットワーク
１０５  管理サーバ
１０６  端末機器
１０７  撮像対象
１０８  撮像装置
【図１】
2014143477.tif 000003
【図２】
2014143477.tif 000004
【図３】
2014143477.tif 000005
【図４】
2014143477.tif 000006
【図５】
2014143477.tif 000007
【図６】
2014143477.tif 000008
【図７】
2014143477.tif 000009
【図８】
2014143477.tif 000010
【図９】
2014143477.tif 000011
【図１０】
2014143477.tif 000012